(57)【要約】      （修正有）【課題】簡素な構造により展開及び折り畳みが可能なミラースタンドを提供する。【解決手段】折り畳み式ミラースタンド１０１は、本体部１と、本体部に保持された鏡３と、を備えている。本体部は、基部５、第１ヒンジ１３、鏡保持部７、第２ヒンジ、支持体９、を含んでおり、樹脂の一体成型により形成される。鏡保持部７は、第１ヒンジを介して基部の前端に連結しており、基部に対して開閉自在であり、前面に鏡を保持する。支持体９は、基部の開口１１の後端縁に、第２ヒンジを介して連結しており、基部に対して開閉自在であり、開いたときには鏡保持部を斜めに開いた状態で支持し、閉じたときには開口内に納まる。ヒンジは、基部、鏡保持部、及び支持体よりも薄肉の樹脂からなっている。【選択図】図１
0003204492.tif 000002
【実用新案登録請求の範囲】
【請求項１】
樹脂製の本体部と、当該本体部に保持された鏡と、を備え、
前記本体部は、
中央部に開口を有する板状の基部と、
前記基部の一端に連結した第１ヒンジと、
一端が前記第１ヒンジに連結することにより前記基部に対して開閉自在であり、開く方向の面内に前記鏡を保持する板状の鏡保持部と、
前記基部の前記一端から遠い側の前記開口の端縁に連結した第２ヒンジと、
一端が前記第２ヒンジに連結することにより前記基部に対して開閉自在であり、閉じたときには前記開口内に納まり、開いたときには前記鏡保持部を鋭角に開いた状態で支持する板状の支持体と、を含み、
前記第１及び第２ヒンジは、前記基部、前記鏡保持部、及び前記支持体よりも薄肉の樹脂からなる、折り畳み式ミラースタンド。
【請求項２】
前記鏡保持部は、閉じる方向の面内に開口する孔を有し、
前記支持体は、前記第２ヒンジに連結する側とは反対側の端部に、前記孔に挿入されることにより前記鏡保持部の開きの角度を規制する樹脂製の第１の突起を有する、請求項１に記載の折り畳み式ミラースタンド。
【請求項３】
前記本体部は、前記鏡保持部の閉じる方向の面から突起した第２の突起であって、当該鏡保持部が閉じられることにより前記基部の前記開口の端縁の一部に係合し、それにより、当該鏡保持部が閉じられた状態を保持し、かつ一定以上の開く力が当該鏡保持部に加えられたときに、係合が解除されるように弾性を有する樹脂製の第２の突起を、さらに含む、請求項１又は２に記載の折り畳み式ミラースタンド。
【請求項４】
前記鏡保持部の前記開く方向の面のうち、前記鏡よりも前記第１ヒンジに近い部位に、当該開く方向の面から突起するように設けられており、それにより前記開く方向の面に沿うように置かれた携帯電話器を、落ちないように支持することを可能にする支持部材を、さらに備える、請求項１から３のいずれかに記載の折り畳み式ミラースタンド。
【請求項５】
前記支持部材は、少なくとも前記携帯電話器を支持する表面において、エラストマーからなる、請求項４に記載の折り畳み式ミラースタンド。
【請求項６】
前記鏡保持部の前記開く方向の面のうち、前記鏡よりも前記第１ヒンジから遠い部位と、前記鏡と前記支持部材との間の部位と、に取り付けられ、前記鏡の表面よりも突出し、エラストマーからなるシート状部材を、さらに備える、請求項４又は５に記載の折り畳み式ミラースタンド。
【請求項７】
前記基部の開く方向の面に取り付けられ、エラストマーからなる滑り止め部材を、さらに備える、請求項１から６のいずれかに記載の折り畳み式ミラースタンド。
【考案の詳細な説明】
【技術分野】
【０００１】
本考案は、使用時には鏡面が傾斜するように展開し、不使用時にはコンパクトに折り畳むことが可能な折り畳み式ミラースタンドに関する。
【背景技術】
【０００２】
従来、この種のミラースタンドとして、特許文献１及び２に記載されるものが知られている。これらはいずれも、使用時には鏡面が傾斜するように展開し、不使用時にはコンパクトに折り畳むことが可能となっている。しかしながら、これらのミラースタンドは、展開及び折り畳みの機構が複雑であり、その分、製造コストが高くなるという問題点があった。
【先行技術文献】
【特許文献】
【０００３】
【特許文献１】特開平９−２２０１４１号公報
【特許文献２】実登３００２７５７号公報
【考案の概要】
【考案が解決しようとする課題】
【０００４】
本考案は上記の問題点に鑑みてなされたもので、簡素な構造により展開及び折り畳みを実現する折り畳み式ミラースタンドを提供することを目的とする。
【課題を解決するための手段】
【０００５】
上記課題を解決し上記目的を達成するために、本考案のうち第１の態様によるものは、折り畳み式ミラースタンドであって、樹脂製の本体部と、当該本体部に保持された鏡と、を備えている。前記本体部は、基部と、第１ヒンジと、鏡保持部と、第２ヒンジと、支持体と、を含んでいる。前記基部は、中央部に開口を有する板状のものである。前記第１ヒンジは、前記基部の一端に連結したものである。前記鏡保持部は、一端が前記第１ヒンジに連結することにより前記基部に対して開閉自在であり、開く方向の面内に前記鏡を保持するものである。前記第２ヒンジは、前記基部の前記一端から遠い側の前記開口の端縁に連結したものである。前記支持体は、一端が前記第２ヒンジに連結することにより前記基部に対して開閉自在であり、閉じたときには前記開口内に納まり、開いたときには前記鏡保持部を鋭角に開いた状態で支持する板状のものである。さらに、前記第１及び第２ヒンジは、前記基部、前記鏡保持部、及び前記支持体よりも薄肉の樹脂からなっている。
【０００６】
この構成によれば、鏡保持部を基部に対して開き、支持体を基部の開口内から起こして鏡保持部を支持させることにより、鏡保持部を基部に対して鋭角に開いた状態に保つことができる。それにより、本構成のミラースタンドを机上等に載置することにより、鏡保持部に保持された鏡を正面斜め上を向く姿勢に保ちつつ、当該ミラースタンドを使用に供することができる。さらに、本構成のミラースタンドは、不要時あるいは携行時等には、支持体を基部の開口内に納まるように閉じ、さらに鏡保持部を基部に対して閉じることによって、折り畳んだ状態とすることができる。展開及び折り畳みが、基部、鏡保持部及び支持体よりも薄肉の樹脂からなる簡素な構造の第１及び第２ヒンジにより実現する。また、本体部の全体が、第１及び第２ヒンジを含めて一体的に連結した樹脂製であるので、主要部をなす本体部の全体を単一の樹脂成型工程により製造することが可能である。なお、本考案において、「板状」とは、凹凸の全くない平板のみを意味するのではなく、多少の凹凸を含みつつ実質的に「板」と称し得る形状をも含む趣旨である。
【０００７】
本考案のうち第２の態様によるものは、第１の態様による折り畳み式ミラースタンドであって、前記鏡保持部は、閉じる方向の面内に開口する孔を有し、前記支持体は、前記第２ヒンジに連結する側とは反対側の端部に、前記孔に挿入されることにより前記鏡保持部の開きの角度を規制する樹脂製の第１の突起を有している。
【０００８】
この構成によれば、孔と突起という簡単な構成が付加されることにより、開いた鏡保持部の姿勢が安定する。
【０００９】
本考案のうち第３の態様によるものは、第１又は第２の態様による折り畳み式ミラースタンドであって、前記本体部は、前記鏡保持部の閉じる方向の面から突起した第２の突起であって、当該鏡保持部が閉じられることにより前記基部の前記開口の端縁の一部に係合し、それにより、当該鏡保持部が閉じられた状態を保持し、かつ一定以上の開く力が当該鏡保持部に加えられたときに、係合が解除されるように弾性を有する樹脂製の第２の突起を、さらに含んでいる。
【００１０】
この構成によれば、鏡保持部の開閉を容易としつつ、閉じたときに閉じた状態を保持することが可能となる。
【００１１】
本考案のうち第４の態様によるものは、第１から第３のいずれかの態様による折り畳み式ミラースタンドであって、前記鏡保持部の前記開く方向の面のうち、前記鏡よりも前記第１ヒンジに近い部位に、当該開く方向の面から突起するように設けられており、それにより前記開く方向の面に沿うように置かれた携帯電話器を、落ちないように支持することを可能にする支持部材を、さらに備えている。
【００１２】
この構成によれば、ミラースタンドを、携帯電話器を立て掛けておく器具としても使用することが可能となる。
【００１３】
本考案のうち第５の態様によるものは、第４の態様による折り畳み式ミラースタンドであって、前記支持部材は、少なくとも前記携帯電話器を支持する表面において、エラストマーからなる。
【００１４】
この構成によれば、エラストマーが有する高い摩擦係数により、鏡保持部に立て掛けられた携帯電話器が、滑り落ち難くなる。
【００１５】
本考案のうち第６の態様によるものは、第４又は第５の態様による折り畳み式ミラースタンドであって、前記鏡保持部の前記開く方向の面のうち、前記鏡よりも前記第１ヒンジから遠い部位と、前記鏡と前記支持部材との間の部位と、に取り付けられ、前記鏡の表面よりも突出し、エラストマーからなるシート状部材を、さらに備えている。
【００１６】
この構成によれば、鏡保持部に立て掛けられた携帯電話器が、摩擦係数の大きいシート状部材に当接するので、滑り落ち難くなる。
【００１７】
本考案のうち第７の態様によるものは、第１から第６のいずれかの態様による折り畳み式ミラースタンドであって、前記基部の開く方向の面に取り付けられ、エラストマーからなる滑り止め部材を、さらに備えている。
この構成によれば、基部を机上等に載置したときに、本体部が滑り難くなる。
【考案の効果】
【００１８】
以上のように本考案によれば、簡素な構造により展開及び折り畳みを実現する折り畳み式ミラースタンドが得られる。
【図面の簡単な説明】
【００１９】
【図１】本考案の一実施の形態による折り畳み式ミラースタンドを正面から見た斜視図である。
【図２】図１の折り畳み式ミラースタンドを背面から見た斜視図である。
【図３】図１の折り畳み式ミラースタンドのＡ−Ａ切断線、及びＢ−Ｂ切断線に沿った断面図である。
【図４】図１の折り畳み式ミラースタンドの第２の突起及びその周辺の断面図である。
【図５】図１の折り畳み式ミラースタンドの本体部を平面状に開いたときの平面図であり、本体部の領域にハッチングを付している。
【考案を実施するための形態】
【００２０】
図１及び図２は、本考案の一実施の形態による折り畳み式ミラースタンドを、それぞれ正面及び背面から見た斜視図である。図３は、図１及び図２のミラースタンドの、Ａ−Ａ切断線、及びＢ−Ｂ切断線に沿った断面図である。このミラースタンド１０１は、使用時には鏡面が上向きに傾斜するように展開することができ、不使用時にはコンパクトに折り畳むことができるように構成されている。図１〜図３はいずれも、使用のために展開した状態にあるミラースタンド１０１を表している。以下において、説明の便宜のために、図１〜図３に示すように、使用のために展開して机上等に置かれた姿勢に基づき、使用者を基準として、「前」、「正面」、「後」、「背面」、「上」、「下」、「幅方向」等の方向を表す用語を適宜用いる。図３において左側が、前側あるいは正面側となる。
【００２１】
ミラースタンド１０１は、本体部１と、本体部１に保持された鏡３と、同じく本体部１に取り付けられたその他の付属品と、を有している。本体部１は、ミラースタンド１０１の主要部をなすもので、樹脂の一体成型により形成されている。本体部１は、使用時には机上に載置される略矩形板状の基部５と、基部５の前端に開閉自在に連結された略矩形板状の鏡保持部７と、基部５に形成された開口１１の後方端縁に開閉自在に連結された略矩形板状の支持体９と、を有している。開口１１は、基部５の中央部に形成され、前後に延びる矩形をなしている。支持体９は、閉じたときに開口１１の内側に納まる。基部５と鏡保持部７とは、屈曲自在の薄肉の樹脂からなるヒンジ１３により連結されている。同様に、基部５と支持体９とは、屈曲自在の薄肉の樹脂からなるヒンジ１５により連結されている。これらのヒンジ１３，１５も、基部５、鏡保持部７、及び支持体９と共に本体部１を構成し、これらと共に樹脂の一体成型により形成される。
【００２２】
支持体９の先端には、突起１７が形成されている。一方、鏡保持部７の上部には、背面に開口する孔１９が形成されている。図示の例では、孔１９は鏡保持部７を貫通する貫通孔である。基部５に対して、鏡保持部７と支持体９とを斜めに起立させ、突起１７を孔１９に挿入することにより、鏡保持部７を、一定角度をもって傾斜した状態で支持することができる。鏡保持部７は、孔１９による強度の低下を補うように、孔１９の周囲において幾分厚くなっている。
【００２３】
鏡保持部７の前面すなわち開く方向の面の中央部には、矩形の凹部２１が形成されている。この凹部２１に、矩形の鏡３が装着されている。鏡３は、例えば樹脂製であり、一例として接着剤により凹部２１の底面に固着されている。鏡保持部７は、凹部２１による強度の低下を補うように、凹部２１が形成されている領域において、背面すなわち閉じる方向の面が幾分突出している。鏡３の表面は、鏡保持部７の前面を向くので、図１〜３に示すように鏡保持部７を支持体９により支持したときに、鏡３は斜め上方を向く。このため、ミラースタンド１０１は、卓上鏡として、机上等に置いて使用することが可能である。ミラースタンド１０１を折り畳むときには、突起１７を孔１９から外し、支持体９を倒伏させて基部５の開口１１内に納め、さらに、鏡保持部７を倒伏させて基部５の上に重なるようにする。これにより、本体部１の厚さは、おおよそ基部５の厚さと鏡保持部７の厚さの和となる。すなわち、支持体９の厚さが、折り畳まれたときのミラースタンド１０１の全体の厚さに寄与しない。この点においても、全体の厚さが３点の部品の厚さの和となる特許文献１，２のミラースタンドに比して、有利である。
【００２４】
鏡保持部７の背面には、突起２３が形成されている。突起２３も、鏡保持部７等と共に本体部１を構成し、鏡保持部７等と共に樹脂の一体成型により形成される。図４は、ミラースタンド１０１を折り畳んだときの突起２３とその周辺部分とについて、断面構造を示している。突起２３は、頭部が略半球状の鉤状の形状をなし、ミラースタンド１０１が折り畳まれた時に、基部５の開口１１の端縁の一部に係合することにより、鏡保持部７が基部５に対して閉じられた状態を保持する。図２及び図３に示した例では、突起２３は、開口１１の幅方向端縁のうち、後方に近い部位に係合するように形成されている。鏡保持部７を基部５へ向かって倒伏させるときに、突起２３の略半球状の頭部は、基部５の開口１１の端縁により押しのけられ、鏡保持部７の倒伏を可能にする。鏡保持部７が十分に倒伏すると、突起２３の頭部は元の形状に復帰し、基部５の開口１１の端縁と係合する。鏡保持部７を開くように、ある程度以上の力が鏡保持部７に加えられると、突起２３の頭部は基部５の開口１１の端縁により押しのけられ、鏡保持部７の起立を可能にする。このように、突起２３は鏡保持部７に加えられる力によって屈曲可能なように、適度な弾性を有する。
【００２５】
図１〜図３に戻って、鏡保持部７及び基部５には幾つかの付属品が取り付けられている。鏡保持部７のうち鏡３よりも下方の部位には、携帯電話用の支持部材２５が、正面に突起するように取り付けられている。支持部材２５は、携帯電話器を鏡保持部７の正面に立て掛けておくためのものであり、例えば、表面には摩擦係数が大きく滑りを防止するエラストマーが用いられている。それにより、携帯電話器が支持部材２５から滑り落ち難くなる。また、鏡保持部７の正面のうち、鏡３の上端と下端とに沿う細長領域には、シート状部材２７，２９が取り付けられている。シート状部材２７，２９には、例えば、滑りを防止するエラストマーが用いられている。それにより、支持部材２５に支持された携帯電話器が、さらに滑り落ち難くなる。机上等に載置された基部５が滑り難くなるように、基部５の下面には、摩擦係数の大きい滑り止め部材３１が取り付けられている。滑り止め部材３１には、例えばエラストマーが用いられる。
【００２６】
図３に例示するように、支持部材２５は、鏡保持部７に形成された開口３３に背面から挿通されたピン３５によって、鏡保持部７に固定される。また、シート状部材２７，２９には、背面に突起３７、３９の列が形成されており、これらの突起３７、３９の列が、鏡保持部７に形成された貫通孔４１，４３の列に押し込められている。それにより、シート状部材２７，２９は、鏡保持部７に固定されている。同様に、滑り止め部材３１の上面には突起４５が形成されており、この突起４５が、基部５に形成された貫通孔４７に押し込められることにより、滑り止め部材３１は基部５に固定されている。このため、簡素な工程によって、基部５及び鏡保持部７に付属品を取り付けることができる。
【００２７】
図５は、ミラースタンド１０１の本体部１を平面状に開いたときの平面図であり、本体部１の領域にハッチングを付している。図５に示すように、本体部１は一体的に連結されており、樹脂の一体成型により製造することが可能である。ずなわち、開口１１及び貫通孔４７を有する基部５、基部５に連結するヒンジ１５、ヒンジ１５に連結し、突起１７を有する支持体９、さらには、基部５に連結するヒンジ１３、ヒンジ１３に連結し、孔１９と、貫通孔３３と、貫通孔４１、４３の列とが形成された鏡保持部７、この鏡保持部７に連結する突起２３は、樹脂の一体成型により製造可能である。
【００２８】
以上の通り、ミラースタンド１０１は、展開及び折り畳みが、基部５、鏡保持部７及び支持体９よりも薄肉の樹脂からなる簡素な構造のヒンジ１３，１５により実現する。また、本体部１が、樹脂の一体成型により簡単に製造可能である。さらに、本体部１の製造だけでなく、付属品の製造及び本体部１への組み込みも、簡単な工程で行うことができる。
【００２９】
ミラースタンド１０１から、携帯電話器を立て掛けておく機能を除去したミラースタンドを実施することも可能である。この場合には、支持部材２５、シート状部材２７，２９は不要となる。このため、製造工程において、これらの付属品を製造し、かつ本体部１に組み込む工程が不要となるので、製造がより容易となる。また、折り畳んだ時のミラースタンドの厚さが、折り畳まれた本体部１の厚さとほぼ同じほどに薄くなる。さらには、滑り止め部材３１をも除去することが可能である。この場合には、本体部１を樹脂の一体成型により形成し、本体部１に鏡３を組み込むだけで、ミラースタンドが出来上がり、製造工程が更に容易なものとなる。
【符号の説明】
【００３０】
１０１  ミラースタンド
１  本体部
３  鏡
５  基部
７  鏡保持部
９  支持体
１１  開口
１３，１５  ヒンジ
１７  突起
１９  孔
２１  凹部
２３  突起
２５  支持部材
２７，２９  シート状部材
３１  滑り止め部材
３３  開口
３５  ピン
３７，３９  突起
４１，４３  貫通孔
４５  突起
４７  貫通孔
【図１】
0003204492.tif 000003
【図２】
0003204492.tif 000004
【図３】
0003204492.tif 000005
【図４】
0003204492.tif 000006
【図５】
0003204492.tif 000007